(57)【特許請求の範囲】
【請求項１】
略円筒状の圧縮機と、前記圧縮機の吐出冷媒にて水を加熱する水冷媒熱交換器と、前記圧縮機と前記水冷媒熱交換器とを載置する底板とを備え、前記水冷媒熱交換器は二重管方式で複数のパスにて螺旋状に形成され、水を流出させる水接続配管と前記圧縮機の吐出管とを水冷媒熱交換器に接続する接続管を備え、前記水冷媒熱交換器を前記圧縮機の側方に配置し、前記水接続配管を前記圧縮機の前方に配置し、前記吐出管からの冷媒を分流して前記接続管に流入させる分岐管を前記圧縮機と前記水冷媒熱交換器との間の空間に配置し、前記接続管の水が流れる流路の中心軸は、前記接続管の冷媒が流れる流路の中心軸と直交し、前記水接続配管の中心軸と平行とすることを特徴とするヒートポンプユニット。
【発明の詳細な説明】
【技術分野】
【０００１】
本発明は、水等の流体と冷媒等の二種の流体を熱交換させるための熱交換器を備えたヒートポンプユニットに関するものである。
【背景技術】
【０００２】
従来、この種のヒートポンプユニットの熱交換器としては、略円筒上の圧縮機と前記圧縮機の吐出冷媒にて水を加熱する水冷媒熱交換器と前記圧縮機と前記水冷媒熱交換器とを載置する底板とを備え、前記水冷媒熱交換器を前記圧縮機の側方に配置する構成が知られている（例えば、特許文献１参照）。
【０００３】
図５は、特許文献１に記載された従来のヒートポンプユニットの内部部品の取り付け構造を示すものである。
【０００４】
図５に示すように、ヒートポンプユニットの底板１０１上には、略円筒上の圧縮機１０２と、その側方に前記圧縮機１０２の吐出冷媒にて水を加熱する水冷媒熱交換器１０３を載置し、またもう一方には加熱した湯水を循環させるための温水接続管１０４を備えている。
【先行技術文献】
【特許文献】
【０００５】
【特許文献１】特開２００５−１４７４６７号公報
【発明の概要】
【発明が解決しようとする課題】
【０００６】
しかしながら、上記従来の構成では、ヒートポンプユニットの内部部品の配置構成は開示されているが、水冷媒熱交換器１０３の接続部に関する具体的構成は開示されていない。
【０００７】
また、従来の水冷媒熱交換器１０２の接続部の形状では、接続部の軸方向への分岐だけのために接続配管の設計自由度が限られ、本体のサイズが大きくなるという課題を有していた。
【０００８】
本発明は、上記従来の課題を解決するもので、コンパクトなヒートポンプユニットを提供することを目的とするものである。
【課題を解決するための手段】
【０００９】
上記従来の課題を解決するために、本発明のヒートポンプユニットは、略円筒状の圧縮機と、前記圧縮機の吐出冷媒にて水を加熱する水冷媒熱交換器と、前記圧縮機と前記水冷媒熱交換器とを載置する底板とを備え、前記水冷媒熱交換器は二重管方式で複数のパスにて螺旋状に形成され、水を流出させる水接続配管と前記圧縮機の吐出管とを水冷媒熱交換器に接続する接続管を備え、前記水冷媒熱交換器を前記圧縮機の側方に配置し、前記水接続配管を前記圧縮機の前方に配置し、前記吐出管からの冷媒を分流して前記接続管に流入させる分岐管を前記圧縮機と前記水冷媒熱交換器との間の空間に配置し、前記接続管の水が流れる流路の中心軸は、前記接続管の冷媒が流れる流路の中心軸と直交し、前記水接続配管の中心軸と平行とすることを特徴とするものである。
【００１０】
これにより、略円筒状の圧縮機と水冷媒熱交換器との間の空間を、部材配置空間として有効活用することで、コンパクトなヒートポンプユニットを提供できる。
【発明の効果】
【００１１】
本発明によれば、コンパクトなヒートポンプユニットを提供できる。
【図面の簡単な説明】
【００１２】
【図１】本発明の実施の形態１におけるヒートポンプユニットの内観斜視図
【図２】同ヒートポンプユニットの水冷媒熱交換器の外観斜視図
【図３】同ヒートポンプユニットの水冷媒熱交換器の外観右側面図
【図４】同ヒートポンプユニットの水冷媒熱交換器の外観正面図
【図５】従来のヒートポンプユニットの内部構造図
【発明を実施するための形態】
【００１３】
第１の発明は、略円筒状の圧縮機と、前記圧縮機の吐出冷媒にて水を加熱する水冷媒熱交換器と、前記圧縮機と前記水冷媒熱交換器とを載置する底板とを備え、前記水冷媒熱交換器は二重管方式で複数のパスにて螺旋状に形成され、水を流出させる水接続配管と前記圧縮機の吐出管とを水冷媒熱交換器に接続する接続管を備え、前記水冷媒熱交換器を前記圧縮機の側方に配置し、前記水接続配管を前記圧縮機の前方に配置し、前記吐出管からの冷媒を分流して前記接続管に流入させる分岐管を前記圧縮機と前記水冷媒熱交換器との間の空間に配置し、前記接続管の水が流れる流路の中心軸は、前記接続管の冷媒が流れる流路の中心軸と直交し、前記水接続配管の中心軸と平行とすることを特徴とするヒートポンプユニットである。
【００１４】
これにより、略円筒状の圧縮機と水冷媒熱交換器との間の空間を、部材配置空間として有効活用することで、コンパクトなヒートポンプユニットを提供できる。
【００１９】
以下、本発明の実施の形態について、図面を参照しながら説明する。なお、この実施の形態によってこの発明が限定されるものではない。
【００２０】
（実施の形態１）
図１は、本発明の第１の実施の形態における温水暖房用ヒートポンプユニットの内観斜視図である。
【００２１】
図１に示すように、給湯装置と同じヒートポンプユニットの筐体の底部を構成する底板２の上には、冷媒を圧縮、循環する圧縮機３、銅管で構成された、水１２（あるいは不凍液）などの熱媒体と冷媒の熱交換を行う水冷媒熱交換器４、蒸発器である空気熱交換器９送風ファン１０があり、それぞれ給湯装置用と同じ配置構成で順次環状に接続して閉回路を構成し、冷媒を循環させる冷凍サイクルを構成している。
【００２２】
また、水冷媒熱交換器４で加熱した温水を外部放熱器（図示せず）へ送る温水接続配管５を備えている。
【００２３】
以上のように配置構成されたそれぞれの部品は、水接続配管６と吐出管７とを備え、接続管８により水冷媒熱交換器４へ接続される。
【００２４】
また、この接続管８と、圧縮機３の吐出管７からの冷媒１１を分流して水冷媒熱交換器４に流入させるための分岐管８ａとを、圧縮機３と水冷媒熱交換器４の間の空間に位置させ構成している。
【００２５】
以上のように構成された温水暖房用ヒートポンプユニットについて、以下その動作、作用を説明する。
【００２６】
まず、水冷媒熱交換器４で加熱された温水が、温水接続配管５を通り外部放熱器（図示せず）へと送られ、外部放熱器の設置された居室を暖房し、そこから温水接続配管５へと温水が戻り再びヒートポンプユニット１で加熱され、温水接続配管５へと送られる。
【００２７】
従来の給湯装置に用いるヒートポンプユニットと動作は同じであり、外部放熱器（図示せず）へ接続する温水接続配管５からの水接続配管６を給湯装置用のヒートポンプユニット内の圧縮機３と水冷媒熱交換器４の間の空間で接続することにより、給湯装置用のヒートポンプユニットの流用が可能となり、コンパクトなシャーシでコストをかけることなく温水暖房用のヒートポンプユニットが実現できる。
【００２８】
図２は、温水暖房用ヒートポンプユニットの水冷媒熱交換器の外観斜視図である。
【００２９】
図２に示すように、この水冷媒熱交換器４は複数のパスにて螺旋状に形成され、外側に吐出管７からの冷媒を流し、内側に水接続配管６からの水１２（あるいは不凍液）を対交流で流す二重管式の熱交換器であり、吐出管７からの冷媒を分流して水冷媒熱交換器に流入させるための分岐管８ａと接続管８とを設けた構成としている。
【００３０】
以上のように構成された水冷媒熱交換器４について、以下その動作、作用を説明する。
【００３１】
まず、水冷媒熱交換器４の外側を冷媒１１が通過し、内側を水１２（あるいは不凍液）などの熱媒体が冷媒１１の流れと逆方向から流入し流れ、冷媒１１と水１２（あるいは不凍液）などの熱媒体が熱交換を行うようになっている。
【００３２】
接続部に、前記吐出管からの冷媒１１を分流して前記水冷媒熱交換器４に流入させるための分岐管８ａを設けたことにより、より効率の良い熱交換器を接続させることが実現できる。
【００３３】
図３は、温水暖房用ヒートポンプユニットの水冷媒熱交換器の外観右側面図である。図３に示すように、この水冷媒熱交換器４の接続管８は、ユニット内方に配設された分岐管８ａ側から冷媒を流入する構成となる。
【００３４】
また、図４は、温水暖房用ヒートポンプユニットの水冷媒熱交換器の外観正面図である。図４に示すように、この水冷媒熱交換器４の接続管８の水用流路１４は、水接続配管６と同軸とした構成となる。
【００３５】
以上のように構成された水冷媒熱交換器４について、以下その動作、作用を説明する。
【００３６】
まず、冷媒１１は、吐出管７、分岐管８ａ、接続管８の順に水冷媒熱交換器４の外側に流入し流れ、水１２（あるいは不凍液）などの熱媒体は、内側を水接続配管６から冷媒１１の流れと逆方向から流入し流れ、冷媒１１と水１２（あるいは不凍液）などの熱媒体が
熱交換を行うようになっている。水用流路を同軸にすることにより、圧力損失がなく大流量の温水を循環させることが実現できる。
【産業上の利用可能性】
【００３７】
以上のように、本発明にかかるヒートポンプユニットは、コンパクトで安価に実現できるので、給湯機や温水供給装置に適用できる。
【符号の説明】
【００３８】
１  ヒートポンプユニット
２  底板
３  圧縮機
４  水冷媒熱交換器
５  温水接続配管
６  水接続配管
７  吐出管
８  接続管
８ａ  分岐管
１１  冷媒
１２  水（あるいは不凍液）
１４  水用流路
【図１】
0005877324.tif 000002
【図２】
0005877324.tif 000003
【図３】
0005877324.tif 000004
【図４】
0005877324.tif 000005
【図５】
0005877324.tif 000006